(57)【要約】      （修正有）【課題】諸収差が良好に補正される小型の撮像レンズを提供する。【解決手段】物体側から順に、正の第１レンズ群Ｇ１と、正の第２レンズ群Ｇ２と、負の第３レンズ群Ｇ３とを配置して撮像レンズを構成する。第１レンズ群Ｇ１は、正の第１レンズＬ１、正の第２レンズＬ２、および負の第３レンズＬ３から構成する。第２レンズ群Ｇ２は第４レンズＬ４および第５レンズＬ５から構成する。第３レンズ群Ｇ３は負の第６レンズＬ６および第７レンズＬ７から構成する。第１レンズＬ１〜第３レンズＬ３および第７レンズＬ７のアッベ数をνｄ１、νｄ２、νｄ３、およびνｄ７、第１レンズＬ１の焦点距離をｆ１、第２レンズＬ２の焦点距離をｆ２としたとき、当該撮像レンズは次の各条件式を満足する。４０＜νｄ１＜７５、４０＜νｄ２＜７５、２０＜νｄ３＜３５、４０＜νｄ７＜７５、２．５＜ｆ１／ｆ２＜３０。【選択図】図１
2015203792.tif 000002
【特許請求の範囲】
【請求項１】
物体側から像面側に向かって順に、正の屈折力を有する第１レンズ群と、正の屈折力を有する第２レンズ群と、負の屈折力を有する第３レンズ群とを配置して構成され、
前記第１レンズ群は、正の屈折力を有する第１レンズと、正の屈折力を有する第２レンズと、負の屈折力を有する第３レンズとから構成され、
前記第２レンズ群は、第４レンズおよび第５レンズから構成され、
前記第３レンズ群は、負の屈折力を有する第６レンズおよび負の屈折力を有する第７レンズから構成され、
前記第１レンズのアッベ数をνｄ１、前記第２レンズのアッベ数をνｄ２、前記第３レンズのアッベ数をνｄ３、前記第７レンズのアッベ数をνｄ７、前記第１レンズの焦点距離をｆ１、前記第２レンズの焦点距離をｆ２としたとき、
４０＜νｄ１＜７５
４０＜νｄ２＜７５
２０＜νｄ３＜３５
４０＜νｄ７＜７５
２．５＜ｆ１／ｆ２＜３０
を満足する撮像レンズ。
【請求項２】
前記第３レンズの焦点距離をｆ３としたとき、
−１．０＜ｆ２／ｆ３＜−０．２
を満足する請求項１に記載の撮像レンズ。
【請求項３】
前記第１レンズおよび前記第２レンズの合成焦点距離をｆ１２、前記第３レンズの焦点距離をｆ３としたとき、
−１．０＜ｆ１２／ｆ３＜−０．１
を満足する請求項１または２に記載の撮像レンズ。
【請求項４】
前記第４レンズおよび前記第５レンズの合成焦点距離をｆ４５、前記第６レンズおよび前記第７レンズの合成焦点距離をｆ６７としたとき、
−３＜ｆ４５／ｆ６７＜−０．８
を満足する請求項１〜３のいずれか一項に記載の撮像レンズ。
【請求項５】
前記第６レンズの焦点距離をｆ６、前記第７レンズの焦点距離をｆ７としたとき、
０．０２＜ｆ７／ｆ６＜０．３
を満足する請求項１〜４のいずれか一項に記載の撮像レンズ。
【請求項６】
レンズ系全体の焦点距離をｆ、前記第３レンズと前記第４レンズとの間の光軸上の距離をＤ３４としたとき、
０．０３＜Ｄ３４／ｆ＜０．２
を満足する請求項１〜５のいずれか一項に記載の撮像レンズ。
【発明の詳細な説明】
【技術分野】
【０００１】
本発明は、ＣＣＤセンサやＣＭＯＳセンサ等の撮像素子上に被写体像を形成する撮像レンズに係り、携帯電話機や携帯情報端末等の携帯機器に内蔵されるカメラ、デジタルスティルカメラ、セキュリティカメラ、車載カメラ、ネットワークカメラ等の比較的小型のカメラへの組み込みが好適な撮像レンズに関するものである。
【背景技術】
【０００２】
近年、音声通話主体の携帯電話機に代わり、音声通話機能に加えて様々なアプリケーションソフトウェアの実行が可能な多機能携帯電話機、いわゆるスマートフォン（smartphone）が普及している。スマートフォン上でアプリケーションソフトウェアを実行することにより、例えばデジタルスティルカメラやカーナビゲーション等の機能をスマートフォン上で実現することが可能である。このような様々な機能を実現するために、スマートフォンには携帯電話機と同様にその殆どの機種にカメラが搭載されている。
【０００３】
こうしたスマートフォンの製品群は、初級者向けの製品から上級者向けの製品まで様々な仕様の製品から構成されることが多い。このうち上級者向けに開発された製品に組み込まれる撮像レンズには、近年の高画素化された撮像素子にも対応することのできる高い解像度を有するレンズ構成が要求される。
【０００４】
高解像度の撮像レンズを実現する方法の一つとして、撮像レンズを構成するレンズの枚数を増加させる方法がある。しかし、こうしたレンズ枚数の増加は撮像レンズの大型化を招き易く、上述のスマートフォン等の小型のカメラへの組み込みには不利となる。そこで、従来はレンズ枚数をなるべく抑制する方向で撮像レンズの開発が進められてきた。しかし、昨今では撮像素子の高画素化技術が目まぐるしく進歩しており、撮像レンズの開発の中心は、光学全長（Total Track Length）の短縮よりもむしろ高解像度のレンズ構成の実現に移りつつある。例えば、従来では撮像レンズおよび撮像素子を含むカメラユニットをスマートフォンの内部に組み込むのが一般的であったが、最近ではスマートフォンとは別体のカメラユニットをスマートフォンに装着することでデジタルスティルカメラと比較しても遜色のない画像を得られるようにする試みもなされている。
【０００５】
７枚のレンズから成るレンズ構成は、撮像レンズを構成するレンズの枚数が多いことから撮像レンズの小型化に関しては若干不利となるものの、設計上の自由度が高いため、諸収差の良好な補正や撮像レンズの小型化をバランスよく実現できる可能性を秘めている。こうした７枚構成の撮像レンズとしては、例えば特許文献１に記載の撮像レンズが知られている。
【０００６】
特許文献１に記載の撮像レンズは、両凸形状の第１レンズと、当該第１レンズに接合された両凹形状の第２レンズと、物体側に凸面を向けたメニスカス形状の負の第３レンズと、物体側に凹面を向けたメニスカス形状の正の第４レンズと、物体側に凸面を向けた負の第５レンズと、両凸形状の第６レンズと、両凹形状の第７レンズとが物体側から順に配置されて構成される。特許文献１の撮像レンズでは、第１レンズから第４レンズまでのレンズで構成される第１レンズ群の焦点距離と、第５レンズから第７レンズまでのレンズで構成される第２レンズ群の焦点距離との比を一定の範囲内に抑制することにより、撮像レンズの小型化と諸収差の良好な補正とを実現する。
【先行技術文献】
【特許文献】
【０００７】
【特許文献１】特開２０１２−１５５２２３号公報
【発明の概要】
【発明が解決しようとする課題】
【０００８】
上記特許文献１に記載の撮像レンズは小型であるものの、像面の補正が不十分であり、特に歪曲収差が比較的大きいため、高性能の撮像レンズを実現する上では自ずと限界が生じる。上記特許文献１に記載のレンズ構成では、撮像レンズの小型化を図りつつより良好な収差補正を実現することが困難である。
【０００９】
なお、こうした問題は携帯電話機やスマートフォンに組み込まれる撮像レンズに特有の問題ではなく、デジタルスティルカメラ、携帯情報端末、セキュリティカメラ、車載カメラ、ネットワークカメラ等の比較的小型のカメラに組み込まれる撮像レンズにおいても共通の問題である。
【００１０】
本発明の目的は、撮像レンズの小型化と良好な収差補正との両立を図ることのできる撮像レンズを提供することにある。
【課題を解決するための手段】
【００１１】
上記目的を達成するために本発明の撮像レンズは、物体側から像面側に向かって順に、正の屈折力を有する第１レンズ群と、正の屈折力を有する第２レンズ群と、負の屈折力を有する第３レンズ群とを配置して構成される。第１レンズ群は、正の屈折力を有する第１レンズと、正の屈折力を有する第２レンズと、負の屈折力を有する第３レンズとから構成される。第２レンズ群は第４レンズおよび第５レンズから構成される。第３レンズ群は、負の屈折力を有する第６レンズおよび負の屈折力を有する第７レンズから構成される。また、本発明に係る撮像レンズは、第１レンズのアッベ数をνｄ１、第２レンズのアッベ数をνｄ２、第３レンズのアッベ数をνｄ３、第７レンズのアッベ数をνｄ７、第１レンズの焦点距離をｆ１、第２レンズの焦点距離をｆ２としたとき、次の条件式（１）〜（５）を満足する。
４０＜νｄ１＜７５                          （１）
４０＜νｄ２＜７５                          （２）
２０＜νｄ３＜３５                          （３）
４０＜νｄ７＜７５                          （４）
２．５＜ｆ１／ｆ２＜３０                    （５）
【００１２】
本発明の撮像レンズは、正の屈折力を有する第１レンズ群と同じく正の屈折力を有する第２レンズ群と負の屈折力を有する第３レンズ群とが物体側から順に配置される構成であり、各レンズ群の屈折力の配列が物体側から「正正負」となる。一般的には、物体側から順に正の屈折力を有するレンズ群と負の屈折力を有するレンズ群とを配置して色収差の補正が行われる。このようなレンズ構成において、撮像レンズの小型化を実現するためには、物体側に配置された正のレンズ群の屈折力を強くする必要がある。しかしながら、正の屈折力を有するレンズ群の屈折力が強くなると、色収差の良好な補正が困難になることが多い。
【００１３】
本発明に係る撮像レンズでは、第１レンズ群と第２レンズ群とでレンズ系全体の正の屈折力が分担されることになる。このため、正の屈折力を有するレンズ群が一つの場合に比較して、各レンズ群を構成する正レンズの屈折力が比較的弱く抑えられる。よって、本発明の撮像レンズによれば、諸収差のうち特に色収差が良好に補正されることとなり、高解像度の撮像レンズに必要な良好な結像性能を得ることが可能となる。また、本発明の撮像レンズでは第３レンズ群が負の屈折力を有することから、撮像レンズの小型化が好適に図られる。
【００１４】
上記第１レンズ群は、屈折力の配列が正正負となる３枚のレンズから構成される。これら３枚のレンズは条件式（１）〜（３）を満足するレンズ材料からそれぞれ形成され、第１および第２レンズと第３レンズとは、低分散の材料と高分散の材料との組み合わせとなる。このような各レンズの屈折力の配列とアッベ数の並びによって、第１レンズ群においては色収差の発生が好適に抑制されるとともに、発生した色収差については良好に補正される。なお、本発明に係る撮像レンズでは、第１レンズおよび第２レンズの２枚のレンズによって正の屈折力が分担されることから、第１レンズおよび第２レンズのそれぞれの屈折力が比較的弱く抑えられ、諸収差を良好に補正しつつ撮像レンズの小型化が好適に図られる。
【００１５】
また、上記条件式（４）に示されるように、撮像レンズにおいて最も像面側に配置される第７レンズは低分散の材料から形成される。このため、当該第７レンズでの色分散が好適に抑制され、ひいては撮像レンズの色収差が好適に抑制されることになる。
【００１６】
条件式（５）は、撮像レンズの小型化を図りつつ、コマ収差、非点収差、および歪曲収差をバランスよく良好に補正するための条件である。上限値「３０」を超えると、第１レンズの屈折力に対して第２レンズの屈折力が相対的に強くなるため、バックフォーカス（back focal length）が長くなり、赤外線カットフィルタ等の挿入物を配置するためのスペースの確保が容易となる。しかし、第１レンズの屈折力が相対的に弱くなるため、撮像レンズの小型化には不利となる。またこの場合、軸外光束に対して内方コマ収差が発生し易くなるとともにマイナスの歪曲収差が増大するため、良好な結像性能を得ることが困難となる。一方、下限値「２．５」を下回ると、第１レンズの屈折力が第２レンズの屈折力に対して相対的に強くなるため、撮像レンズの小型化や歪曲収差の良好な補正には有利となる。しかしながら、軸外光束に対して外方コマ収差が発生し易くなるとともに非点隔差が増大するため、良好な結像性能を得ることが困難となる。
【００１７】
上記構成の撮像レンズにおいては、レンズ系全体の焦点距離をｆ、第１レンズおよび第２レンズの合成焦点距離をｆ１２としたとき、次の条件式（６）を満足することが望ましい。
０．５＜ｆ１２／ｆ＜１．１                  （６）
【００１８】
条件式（６）は、色収差、非点収差、歪曲収差、および像面湾曲を好ましい範囲内に抑制するための条件である。上限値「１．１」を超えると、レンズ系全体の屈折力に対して第１レンズ群の正の屈折力が相対的に弱くなり、その結果、第１レンズ群においては第３レンズの負の屈折力が相対的に強くなる。このため、諸収差を良好に補正するためには第３レンズの負の屈折力を弱くする必要が生じる。第３レンズの負の屈折力が弱くなると、軸上の色収差が補正不足（基準波長の焦点位置に対して短波長の焦点位置が物体側に移動）になるとともに、画像周辺部の軸外光束において倍率色収差が補正不足（基準波長の結像点に対して短波長の結像点が光軸に近づく方向に移動）になる。また、マイナスの歪曲収差が増大するため、良好な結像性能を得ることが困難となる。一方、下限値「０．５」を下回ると、歪曲収差や色収差を補正し易くなるものの、バックフォーカスの確保が困難になる。さらに、画像周辺部の軸外光束において非点隔差が増大するため、良好な結像性能を得ることが困難となる。
【００１９】
上記構成の撮像レンズにおいては、第３レンズの焦点距離をｆ３としたとき、次の条件式（７）を満足することが望ましい。
−１．０＜ｆ２／ｆ３＜−０．２              （７）
【００２０】
条件式（７）は、色収差、歪曲収差、および像面湾曲を良好に補正するための条件である。上限値「−０．２」を超えると、第２レンズの正の屈折力に対して第３レンズの負の屈折力が弱くなるため、軸上色収差が補正不足になるとともにマイナスの歪曲収差が増大する。また、結像面が物体側に湾曲する、いわゆる像面湾曲が補正不足の状態となり、良好な結像性能を得ることが困難となる。一方、下限値「−１．０」を下回ると、歪曲収差や軸上色収差の補正には有利となるものの、結像面が像面側に湾曲する、いわゆる像面湾曲が補正過剰の状態になる。よって、この場合も良好な結像性能を得ることが困難となる。
【００２１】
上記構成の撮像レンズにおいては、第１レンズおよび第２レンズの合成焦点距離をｆ１２、第３レンズの焦点距離をｆ３としたとき、次の条件式（８）を満足することが望ましい。
−１．０＜ｆ１２／ｆ３＜−０．１            （８）
【００２２】
条件式（８）は、撮像レンズの小型化を図りつつ、軸外のコマ収差、色収差、および非点収差のそれぞれを好ましい範囲内にバランスよく抑制するための条件である。上限値「−０．１」を超えると、撮像レンズの小型化には有利となるものの、軸上色収差が補正不足になるとともに非点隔差が増大する。また、軸外光束に対して外方コマ収差が生じ易くなり、その補正が困難になる。このため、良好な結像性能を得ることが困難となる。一方、下限値「−１．０」を下回ると、軸上色収差の良好な補正やバックフォーカスの確保には有利となる。しかしながら、球面収差が補正不足になるとともに内方コマ収差が増大するため、良好な結像性能を得ることが困難となる。
【００２３】
上記構成の撮像レンズにおいては、レンズ系全体の焦点距離をｆ、第６レンズおよび第７レンズの合成焦点距離をｆ６７としたとき、次の条件式（９）を満足することが望ましい。
−１．５＜ｆ６７／ｆ＜−０．５              （９）
【００２４】
条件式（９）は、撮像レンズの小型化を図りつつ、非点収差を良好に補正するための条件である。また、条件式（９）は、撮像レンズから出射した光線の像面への入射角度をＣＲＡ（Chief Ray Angle）の範囲内に抑制するための条件でもある。周知のように、ＣＣＤセンサーやＣＭＯＳセンサー等の撮像素子には、センサーに取り込むことのできる光線の入射角度の範囲、いわゆる主光線角度（ＣＲＡ）が予め定められている。撮像レンズから出射した光線の像面への入射角度をＣＲＡの範囲内に抑制することにより、画像の周辺部が暗くなる現象であるシェーディングの発生を好適に抑制することができる。
【００２５】
条件式（９）において上限値「−０．５」を超えると、撮像レンズの小型化には有利となるものの、バックフォーカスの確保が困難となる。また、非点収差のうちサジタル像面が物体側に湾曲するため非点隔差が増大することとなり、良好な結像性能を得ることが困難となる。さらに、撮像レンズから出射した光線の像面への入射角度をＣＲＡの範囲内に抑制することも困難となる。一方、下限値「−１．５」を下回ると、撮像レンズから出射した光線の像面への入射角度をＣＲＡの範囲内に抑制し易くなるものの、撮像レンズの小型化が困難になる。また、画像周辺部において倍率色収差が補正不足になるとともにマイナスの歪曲収差が増大するため、良好な結像性能を得ることが困難となる。
【００２６】
上記構成の撮像レンズにおいては、第４レンズおよび第５レンズの合成焦点距離をｆ４５、第６レンズおよび第７レンズの合成焦点距離をｆ６７としたとき、次の条件式（１０）を満足することが望ましい。
−３＜ｆ４５／ｆ６７＜−０．８            （１０）
【００２７】
条件式（１０）は、撮像レンズから出射した光線の像面への入射角度をＣＲＡの範囲内に抑制しつつ、倍率色収差、歪曲収差、および像面湾曲を良好に補正するための条件である。上限値「−０．８」を超えると、撮像レンズから出射した光線の像面への入射角度をＣＲＡの範囲内に抑制し易くなるものの、マイナスの歪曲収差が増大する。また、画像周辺部において倍率色収差が補正不足になるとともに像面湾曲が補正不足の状態になるため、良好な結像性能を得ることが困難となる。一方、下限値「−３」を下回ると、倍率色収差および歪曲収差の補正には有利となる。しかし、非点隔差が増大するため良好な結像性能を得ることが困難となる。
【００２８】
上記構成の撮像レンズにおいては、第６レンズの焦点距離をｆ６、第７レンズの焦点距離をｆ７としたとき、次の条件式（１１）を満足することが望ましい。
０．０２＜ｆ７／ｆ６＜０．３              （１１）
【００２９】
条件式（１１）は、バックフォーカスを確保しつつ、歪曲収差、像面湾曲、および倍率色収差を良好に補正するための条件である。上限値「０．３」を超えると、倍率色収差の良好な補正には有利となるものの、バックフォーカスの確保が困難となる。また、像面湾曲が補正不足の状態になるとともにマイナスの歪曲収差が増大するため、良好な結像性能を得ることが困難になる。一方、下限値「０．０２」を下回ると、バックフォーカスを確保し易くなるものの、画像周辺部において倍率色収差が増大する。よって、この場合も良好な結像性能を得ることが困難となる。
【００３０】
上記構成の撮像レンズにおいては、レンズ系全体の焦点距離をｆ、第３レンズと第４レンズとの間の光軸上の距離をＤ３４としたとき、次の条件式（１２）を満足することが望ましい。
０．０３＜Ｄ３４／ｆ＜０．２              （１２）
【００３１】
条件式（１２）は、撮像レンズから出射した光線の像面への入射角度をＣＲＡの範囲内に抑制しつつ、歪曲収差、非点収差、および像面湾曲のそれぞれを良好な範囲内に抑制するための条件である。上限値「０．２」を超えると、撮像レンズから出射した光線の像面への入射角度をＣＲＡの範囲内に抑制し易くなるとともに歪曲収差を補正し易くなる。しかし、バックフォーカスの確保は困難になる。また、像面湾曲が補正過剰の状態になり、非点隔差も増大するため、良好な結像性能を得ることが困難となる。一方、下限値「０．０３」を下回ると、バックフォーカスを確保し易くなるものの、撮像レンズから出射した光線の像面への入射角度をＣＲＡの範囲内に抑制することが困難になる。また、マイナスの歪曲収差が増大するため良好な結像性能を得ることが困難となる。
【発明の効果】
【００３２】
本発明の撮像レンズによれば、諸収差が良好に補正された高い解像度を有しながらも、小型のカメラへの組込みに特に適した小型の撮像レンズを提供することができる。
【図面の簡単な説明】
【００３３】
【図１】本発明の一実施の形態について、数値実施例１に係る撮像レンズの概略構成を示す断面図である。
【図２】図１に示す撮像レンズの横収差を示す収差図である。
【図３】図１に示す撮像レンズの球面収差、非点収差、歪曲収差を示す収差図である。
【図４】本発明の一実施の形態について、数値実施例２に係る撮像レンズの概略構成を示す断面図である。
【図５】図４に示す撮像レンズの横収差を示す収差図である。
【図６】図４に示す撮像レンズの球面収差、非点収差、歪曲収差を示す収差図である。
【図７】本発明の一実施の形態について、数値実施例３に係る撮像レンズの概略構成を示す断面図である。
【図８】図７に示す撮像レンズの横収差を示す収差図である。
【図９】図７に示す撮像レンズの球面収差、非点収差、歪曲収差を示す収差図である。
【図１０】本発明の一実施の形態について、数値実施例４に係る撮像レンズの概略構成を示す断面図である。
【図１１】図１０に示す撮像レンズの横収差を示す収差図である。
【図１２】図１０に示す撮像レンズの球面収差、非点収差、歪曲収差を示す収差図である。
【図１３】本発明の一実施の形態について、数値実施例５に係る撮像レンズの概略構成を示す断面図である。
【図１４】図１３に示す撮像レンズの横収差を示す収差図である。
【図１５】図１３に示す撮像レンズの球面収差、非点収差、歪曲収差を示す収差図である。
【図１６】本発明の一実施の形態について、数値実施例６に係る撮像レンズの概略構成を示す断面図である。
【図１７】図１６に示す撮像レンズの横収差を示す収差図である。
【図１８】図１６に示す撮像レンズの球面収差、非点収差、歪曲収差を示す収差図である。
【発明を実施するための形態】
【００３４】
以下、本発明を具体化した一実施の形態について、図面を参照しながら詳細に説明する。
【００３５】
図１、図４、図７、図１０、図１３、および図１６は、本実施の形態の数値実施例１〜６に係る撮像レンズの概略構成を示す断面図である。いずれの数値実施例も基本的なレンズ構成は同一であるため、ここでは数値実施例１の概略断面図を参照しながら、本実施の形態に係る撮像レンズのレンズ構成について説明する。
【００３６】
図１に示すように本実施の形態に係る撮像レンズは、物体側から像面側に向かって順に、正の屈折力を有する第１レンズ群Ｇ１と、正の屈折力を有する第２レンズ群Ｇ２と、負の屈折力を有する第３レンズ群Ｇ３とが配列されて構成される。第３レンズ群Ｇ３と撮像素子の像面ＩＭとの間にはフィルタ１０が配置される。このフィルタ１０は割愛することも可能である。
【００３７】
第１レンズ群Ｇ１は、物体側から順に、正の屈折力を有する第１レンズＬ１と、開口絞りＳＴと、正の屈折力を有する第２レンズＬ２と、負の屈折力を有する第３レンズＬ３とから構成される。本実施の形態に係る撮像レンズでは、第１レンズＬ１の像面側の面に開口絞りＳＴを設けている。なお、開口絞りＳＴの位置は、本数値実施例１の撮像レンズのように第１レンズＬ１と第２レンズＬ２との間に限定されるものではない。例えば、第１レンズＬ１の物体側に開口絞りＳＴを配置するようにしてもよい。このように撮像レンズの物体側に開口絞りＳＴを配置する、いわゆる前絞りタイプのレンズ構成の場合、撮像レンズの組立性の向上や製造コストの低減を図ることができる。前絞りタイプのレンズ構成は、撮像レンズの光学全長を比較的短縮し易いといった特徴も併せ持つため、携帯電話機や近年普及しているスマートフォン等の携帯機器への組み込みに対して有効なレンズ構成でもある。一方、本数値実施例１のように第１レンズＬ１と第２レンズＬ２との間に開口絞りＳＴを配置する、いわゆる中絞りタイプのレンズ構成は、撮像レンズの光学全長に比較して第１レンズＬ１の有効径が大きくなることから、カメラにおける撮像レンズの存在感が強調され、当該カメラの意匠の一部として高級感やレンズ性能の高さ等をユーザに訴えることができる。
【００３８】
第１レンズ群Ｇ１において第１レンズＬ１は、物体側の面の曲率半径ｒ１および像面側の面の曲率半径ｒ２が共に正となる形状であり、光軸Ｘの近傍において物体側に凸面を向けたメニスカスレンズとなる形状に形成される。この第１レンズＬ１の形状は本数値実施例１に係る形状に限定されるものではない。第１レンズＬ１の形状は、物体側の面の曲率半径ｒ１が正となる形状であればよい。具体的には、第１レンズＬ１の形状は、曲率半径ｒ２が負となる形状であって、光軸近傍において両凸レンズとなる形状でもよい。なお、撮像レンズの小型化をより有効に図るためには、第１レンズＬ１を、光軸近傍において物体側に凸面を向けたメニスカスレンズとなる形状に形成することが望ましい。
【００３９】
第２レンズＬ２は、物体側の面の曲率半径ｒ３が正となり、像面側の面の曲率半径ｒ４が負となる形状であり、光軸Ｘの近傍において両凸レンズとなる形状に形成される。
【００４０】
第３レンズＬ３は、物体側の面の曲率半径ｒ５および像面側の面の曲率半径ｒ６が共に正となる形状であって、光軸Ｘの近傍において物体側に凸面を向けたメニスカスレンズとなる形状に形成される。この第３レンズＬ３の形状は本数値実施例１に係る形状に限定されず、像面側の面の曲率半径ｒ６が正となる形状であればよい。数値実施例２〜４は、第３レンズＬ３の形状が、物体側の面の曲率半径ｒ５が負となる形状、すなわち光軸Ｘの近傍において両凹レンズとなる形状の例である。
【００４１】
第２レンズ群Ｇ２は、物体側から順に、負の屈折力を有する第４レンズＬ４と、正の屈折力を有する第５レンズＬ５とから構成される。この第２レンズ群Ｇ２は、２枚のレンズから構成されるとともに、これら２枚のレンズの合成屈折力が正となる構成であればよい。数値実施例２〜５は、第２レンズ群Ｇ２が、正の屈折力を有する第４レンズＬ４と負の屈折力を有する第５レンズＬ５とから構成される例である。数値実施例６は、第２レンズ群Ｇ２が、正の屈折力を有する第４レンズＬ４および第５レンズＬ５から構成される例である。
【００４２】
第２レンズ群Ｇ２において第４レンズＬ４は、物体側の面の曲率半径ｒ７および像面側の面の曲率半径ｒ８が共に負となる形状であり、光軸Ｘの近傍において物体側に凹面を向けたメニスカスレンズとなる形状に形成される。
【００４３】
一方、第５レンズＬ５は、物体側の面の曲率半径ｒ９が正となり、像面側の面の曲率半径ｒ１０が負となる形状であって、光軸Ｘの近傍において両凸レンズとなる形状に形成される。この第５レンズＬ５の形状は本数値実施例１に係る形状に限定されるものではない。数値実施例２〜５は、曲率半径ｒ１０が正となる形状、すなわち光軸Ｘの近傍において物体側に凸面を向けたメニスカスレンズとなる形状の例である。また、数値実施例６は、曲率半径ｒ９が負となる形状であって、光軸Ｘの近傍において物体側に凹面を向けたメニスカスレンズとなる形状の例である。
【００４４】
第３レンズ群Ｇ３は、物体側から順に、負の屈折力を有する第６レンズＬ６と、負の屈折力を有する第７レンズＬ７とから構成される。第６レンズＬ６は、物体側の面の曲率半径ｒ１１および像面側の面の曲率半径ｒ１２が共に正となる形状であって、光軸Ｘの近傍において物体側に凸面を向けたメニスカスレンズとなる形状に形成される。
【００４５】
第７レンズＬ７は、物体側の面の曲率半径ｒ１３が負となり、像面側の面の曲率半径ｒ１４が正となる形状であって、光軸Ｘの近傍において両凹レンズとなる形状に形成される。第７レンズＬ７において物体側の面および像面側の面は非球面形状に形成されるとともに、光軸Ｘからレンズ周辺部に向かうにつれて正の屈折力が強くなる形状に形成される。第７レンズＬ７の有するこのような形状により、軸上の色収差のみならず軸外の倍率色収差が良好に補正されるとともに、撮像レンズから出射した光線の像面ＩＭへの入射角度が主光線角度（ＣＲＡ：Chief Ray Angle）の範囲内に好適に抑制される。
【００４６】
なお、第７レンズＬ７の形状は本数値実施例１に係る形状に限定されるものではない。第７レンズＬ７の形状は、像面側の面の曲率半径ｒ１４が正となる形状であればよい。数値実施例５は、曲率半径１３が正となる形状であって、光軸Ｘの近傍において物体側に凸面を向けたメニスカスレンズとなる形状の例である。
【００４７】
本実施の形態に係る撮像レンズは、以下に示す条件式（１）〜（１２）を満足する。
４０＜νｄ１＜７５                          （１）
４０＜νｄ２＜７５                          （２）
２０＜νｄ３＜３５                          （３）
４０＜νｄ７＜７５                          （４）
２．５＜ｆ１／ｆ２＜３０                    （５）
０．５＜ｆ１２／ｆ＜１．１                  （６）
−１．０＜ｆ２／ｆ３＜−０．２              （７）
−１．０＜ｆ１２／ｆ３＜−０．１            （８）
−１．５＜ｆ６７／ｆ＜−０．５              （９）
−３＜ｆ４５／ｆ６７＜−０．８            （１０）
０．０２＜ｆ７／ｆ６＜０．３              （１１）
０．０３＜Ｄ３４／ｆ＜０．２              （１２）
但し、
νｄ１：第１レンズＬ１のアッベ数
νｄ２：第２レンズＬ２のアッベ数
νｄ３：第３レンズＬ３のアッベ数
νｄ７：第７レンズＬ７のアッベ数
ｆ：レンズ系全体の焦点距離
ｆ１：第１レンズＬ１の焦点距離
ｆ２：第２レンズＬ２の焦点距離
ｆ３：第３レンズＬ３の焦点距離
ｆ６：第６レンズＬ６の焦点距離
ｆ７：第７レンズＬ７の焦点距離
ｆ１２：第１レンズＬ１および第２レンズＬ２の合成焦点距離
ｆ４５：第４レンズＬ４および第５レンズＬ５の合成焦点距離
ｆ６７：第６レンズＬ６および第７レンズＬ７の合成焦点距離
Ｄ３４：第３レンズＬ３と第４レンズＬ４との間の光軸上の距離
【００４８】
なお、上記各条件式の全てを満たす必要はなく、上記各条件式のそれぞれを単独に満たすことにより、各条件式に対応する作用効果をそれぞれ得ることができる。
【００４９】
本実施の形態では各レンズのレンズ面が非球面で形成されている。これらレンズ面に採用される非球面形状は、光軸方向の軸をＺ、光軸に直交する方向の高さをＨ、円錐係数をｋ、非球面係数をＡ4、Ａ6、Ａ8、Ａ10、Ａ12、Ａ14、Ａ16としたとき、次式により表される。
【数１】
2015203792.tif 000003
【００５０】
次に、本実施の形態に係る撮像レンズの数値実施例を示す。各数値実施例において、ｆはレンズ系全体の焦点距離、ＦｎｏはＦナンバー、ωは半画角をそれぞれ示す。ｉは物体側より数えた面番号、ｒは曲率半径、ｄは光軸上のレンズ面間の距離（面間隔）、ｎｄは屈折率、νｄはアッベ数をそれぞれ示す。なお、＊（アスタリスク）の符号が付加された面番号は非球面であることを示す。
【００５１】
数値実施例１
基本的なレンズデータを以下に示す。
f=3.44mm、Fno=2.2、ω=37.0°
単位    ｍｍ
面データ
面番号ｉ            ｒ         ｄ        ｎｄ    νｄ
（物面）            ∞         ∞
1*           2.255      0.317      1.5346    56.1(=νd1)
2*（絞り）   2.436      0.065
3*           2.400      0.500      1.5346    56.1(=νd2)
4*          -8.336      0.071
5*           5.370      0.250      1.6355    24.0(=νd3)
6*           2.997      0.436(=D34)
7*          -1.358      0.315      1.5346    56.1(=νd4)
8*          -1.506      0.048
9*          57.269      0.557      1.5346    56.1(=νd5)
10*          -1.579      0.072
11*           6.586      0.390      1.6355    24.0(=νd6)
12*           5.835      0.197
13*          -3.293      0.359      1.5346    56.1(=νd7)
14*           2.281      0.300
15               ∞      0.200      1.5168    64.2
16               ∞      0.601
（像面）            ∞
【００５２】
非球面データ
第１面
ｋ=0.000,Ａ4=-1.114E-01,Ａ6=1.716E-01,Ａ8=-6.753E-01,
Ａ10=9.113E-01,Ａ12=-4.349E-01,Ａ14=-1.715E-01,Ａ16=2.030E-01
第２面
ｋ=0.000,Ａ4=-2.098E-01,Ａ6=4.528E-01,Ａ8=-3.217,
Ａ10=6.995,Ａ12=-4.687,Ａ14=-2.463,Ａ16=3.568
第３面
ｋ=0.000,Ａ4=-4.970E-02,Ａ6=-1.500E-01,Ａ8=-7.221E-01,
Ａ10=1.724,Ａ12=-6.829E-01,Ａ14=-6.475E-01,Ａ16=6.175E-01
第４面
ｋ=0.000,Ａ4=-2.271E-01,Ａ6=-7.422E-02,Ａ8=3.681E-02,
Ａ10=4.386E-01,Ａ12=-6.822E-01,Ａ14=3.633E-01,Ａ16=1.075E-01
第５面
ｋ=0.000,Ａ4=-2.983E-01,Ａ6=-5.158E-01,Ａ8=1.744,
Ａ10=-2.258,Ａ12=1.053,Ａ14=8.637E-01,Ａ16=-7.917E-01
第６面
ｋ=0.000,Ａ4=-7.205E-02,Ａ6=-4.150E-01,Ａ8=1.298,
Ａ10=-1.771,Ａ12=8.587E-01,Ａ14=2.137E-01,Ａ16=-2.201E-01
第７面
ｋ=0.000,Ａ4=2.681E-01,Ａ6=-2.030E-01,Ａ8=2.977E-01,
Ａ10=5.153E-02,Ａ12=-5.830E-01,Ａ14=3.652E-01,Ａ16=-1.807E-02
第８面
ｋ=0.000,Ａ4=1.636E-01,Ａ6=-1.044E-01,Ａ8=1.139E-01,
Ａ10=-4.936E-02,Ａ12=4.089E-03,Ａ14=-5.458E-03,Ａ16=7.198E-03
第９面
ｋ=0.000,Ａ4=-2.036E-02,Ａ6=1.008E-01,Ａ8=-9.426E-02,
Ａ10=3.535E-02,Ａ12=4.329E-03,Ａ14=-6.757E-03,Ａ16=8.930E-04
第１０面
ｋ=0.000,Ａ4=9.355E-02,Ａ6=6.215E-02,Ａ8=7.676E-03,
Ａ10=-9.918E-03,Ａ12=-4.698E-04,Ａ14=-2.538E-04,Ａ16=2.680E-04
第１１面
ｋ=0.000,Ａ4=-9.058E-02,Ａ6=1.506E-02,Ａ8=-7.881E-03,
Ａ10=7.829E-03,Ａ12=-5.240E-04,Ａ14=-3.709E-04,Ａ16=-1.445E-04
第１２面
ｋ=0.000,Ａ4=-1.402E-01,Ａ6=4.012E-02,Ａ8=1.525E-03,
Ａ10=-2.457E-03,Ａ12=-1.461E-05,Ａ14=1.635E-04,Ａ16=-3.523E-05
第１３面
ｋ=0.000,Ａ4=-6.802E-02,Ａ6=1.037E-01,Ａ8=-4.345E-02,
Ａ10=1.099E-02,Ａ12=-3.796E-03,Ａ14=1.273E-03,Ａ16=-1.683E-04
第１４面
ｋ=0.000,Ａ4=-1.616E-01,Ａ6=1.157E-01,Ａ8=-6.605E-02,
Ａ10=2.465E-02,Ａ12=-5.885E-03,Ａ14=8.025E-04,Ａ16=-4.741E-05
【００５３】
f1=35.25mm
f2=3.54mm
f3=-11.13mm
f4=-99.63mm
f5=2.88mm
f6=-100.83mm
f7=-2.47mm
f12=3.38mm
f45=2.73mm
f67=-2.45mm
【００５４】
各条件式の値を以下に示す。
f1/f2=9.95
f12/f=0.98
f2/f3=-0.32
f12/f3=-0.30
f67/f=-0.71
f45/f67=-1.113
f7/f6=0.024
D34/f=0.13
このように、本数値実施例１に係る撮像レンズは上記各条件式を満足する。第１レンズＬ１の物体側の面から像面ＩＭまでの光軸上の距離（フィルタ１０は空気換算長）は４．６１ｍｍであり、撮像レンズの小型化が図られている。
【００５５】
図２は、半画角ωに対応する横収差をタンジェンシャル方向とサジタル方向とに分けて示した収差図である（図５、図８、図１１、図１４、および図１７においても同じ）。また、図３は、球面収差（ｍｍ）、非点収差（ｍｍ）、および歪曲収差（％）をそれぞれ示した収差図である。このうち非点収差図においてＳはサジタル像面を、Ｔはタンジェンシャル像面をそれぞれ表す（図６、図９、図１２、図１５、および図１８においても同じ）。図２および図３に示されるように、本数値実施例１に係る撮像レンズによれば諸収差が良好に補正される。
【００５６】
数値実施例２
基本的なレンズデータを以下に示す。
f=3.37mm、Fno=2.2、ω=37.0°
単位    ｍｍ
面データ
面番号ｉ            ｒ         ｄ        ｎｄ    νｄ
（物面）            ∞         ∞
1*           1.687      0.360      1.5346    56.1(=νd1)
2*（絞り）   2.080      0.081
3*           2.069      0.627      1.5346    56.1(=νd2)
4*          -2.335      0.012
5*         -12.711      0.250      1.6355    24.0(=νd3)
6*           2.963      0.337(=D34)
7*          -1.851      0.511      1.5346    56.1(=νd4)
8*          -1.255      0.036
9*          14.291      0.415      1.6355    24.0(=νd5)
10*          11.555      0.060
11*           5.140      0.303      1.5346    56.1(=νd6)
12*           3.728      0.151
13*          -9.215      0.292      1.5346    56.1(=νd7)
14*           2.376      0.140
15               ∞      0.200      1.5168    64.2
16               ∞      0.501
（像面）            ∞
【００５７】
非球面データ
第１面
ｋ=0.000,Ａ4=-1.035E-01,Ａ6=1.546E-01,Ａ8=-6.963E-01,
Ａ10=8.976E-01,Ａ12=-4.726E-01,Ａ14=-1.734E-01,Ａ16=2.316E-01
第２面
ｋ=0.000,Ａ4=-2.430E-01,Ａ6=3.610E-01,Ａ8=-3.129,
Ａ10=7.060,Ａ12=-4.768,Ａ14=-2.712,Ａ16=3.926
第３面
ｋ=0.000,Ａ4=-1.037E-01,Ａ6=-2.199E-01,Ａ8=-6.181E-01,
Ａ10=1.739,Ａ12=-6.029E-01,Ａ14=-5.764E-01,Ａ16=4.109E-01
第４面
ｋ=0.000,Ａ4=-1.993E-01,Ａ6=1.142E-02,Ａ8=4.385E-02,
Ａ10=5.225E-01,Ａ12=-7.827E-01,Ａ14=1.273E-02,Ａ16=4.693E-01
第５面
ｋ=0.000,Ａ4=-2.463E-01,Ａ6=-5.153E-01,Ａ8=1.901,
Ａ10=-2.250,Ａ12=7.890E-01,Ａ14=7.249E-01,Ａ16=-4.881E-01
第６面
ｋ=0.000,Ａ4=-9.455E-03,Ａ6=-4.924E-01,Ａ8=1.270,
Ａ10=-1.695,Ａ12=8.868E-01,Ａ14=9.271E-02,Ａ16=-1.255E-01
第７面
ｋ=0.000,Ａ4=2.488E-01,Ａ6=-9.798E-02,Ａ8=1.387E-01,
Ａ10=-5.087E-02,Ａ12=-4.688E-01,Ａ14=4.874E-01,Ａ16=-1.679E-01
第８面
ｋ=0.000,Ａ4=1.703E-01,Ａ6=6.899E-02,Ａ8=1.171E-01,
Ａ10=-6.243E-02,Ａ12=-1.388E-02,Ａ14=-3.738E-03,Ａ16=7.153E-03
第９面
ｋ=0.000,Ａ4=-1.639E-01,Ａ6=1.073E-01,Ａ8=-8.969E-02,
Ａ10=9.542E-03,Ａ12=-4.894E-03,Ａ14=-4.582E-03,Ａ16=4.992E-03
第１０面
ｋ=0.000,Ａ4=-1.500E-01,Ａ6=5.422E-02,Ａ8=-2.166E-02,
Ａ10=-9.624E-03,Ａ12=1.901E-03,Ａ14=7.129E-04,Ａ16=6.232E-04
第１１面
ｋ=0.000,Ａ4=-2.030E-01,Ａ6=2.297E-03,Ａ8=2.201E-02,
Ａ10=2.780E-04,Ａ12=6.385E-04,Ａ14=-7.657E-05,Ａ16=-2.699E-04
第１２面
ｋ=0.000,Ａ4=-1.577E-01,Ａ6=2.996E-02,Ａ8=2.442E-03,
Ａ10=-2.418E-03,Ａ12=-2.139E-04,Ａ14=1.344E-04,Ａ16=1.979E-05
第１３面
ｋ=0.000,Ａ4=-9.538E-02,Ａ6=9.840E-02,Ａ8=-4.715E-02,
Ａ10=1.099E-02,Ａ12=-3.581E-03,Ａ14=1.355E-03,Ａ16=-1.798E-04
第１４面
ｋ=0.000,Ａ4=-2.024E-01,Ａ6=1.307E-01,Ａ8=-6.820E-02,
Ａ10=2.474E-02,Ａ12=-5.882E-03,Ａ14=7.922E-04,Ａ16=-4.563E-05
【００５８】
f1=12.65mm
f2=2.16mm
f3=-3.76mm
f4=5.61mm
f5=-100.94mm
f6=-27.45mm
f7=-3.50mm
f12=2.01mm
f45=5.88mm
f67=-3.13mm
【００５９】
各条件式の値を以下に示す。
f1/f2=5.86
f12/f=0.60
f2/f3=-0.57
f12/f3=-0.54
f67/f=-0.93
f45/f67=-1.88
f7/f6=0.13
D34/f=0.10
このように、本数値実施例２に係る撮像レンズは上記各条件式を満足する。第１レンズＬ１の物体側の面から像面ＩＭまでの光軸上の距離（フィルタ１０は空気換算長）は４．２１ｍｍであり、撮像レンズの小型化が図られている。
【００６０】
図５は、数値実施例２の撮像レンズについて、半画角ωに対応する横収差を示したものであり、図６は、球面収差（ｍｍ）、非点収差（ｍｍ）、および歪曲収差（％）をそれぞれ示したものである。図５および図６に示されるように、本数値実施例２に係る撮像レンズによっても諸収差が良好に補正される。
【００６１】
数値実施例３
基本的なレンズデータを以下に示す。
f=3.37mm、Fno=2.3、ω=37.0°
単位    ｍｍ
面データ
面番号ｉ            ｒ         ｄ        ｎｄ    νｄ
（物面）            ∞         ∞
1*           1.680      0.386      1.5346    56.1(=νd1)
2*（絞り）   2.599      0.104
3*           3.000      0.626      1.5346    56.1(=νd2)
4*          -1.962      0.078
5*          -3.345      0.250      1.6355    24.0(=νd3)
6*           2.882      0.238(=D34)
7*          -2.871      0.452      1.5346    56.1(=νd4)
8*          -1.267      0.050
9*          11.980      0.486      1.6355    24.0(=νd5)
10*           9.931      0.170
11*           4.056      0.300      1.5346    56.1(=νd6)
12*           3.372      0.157
13*         -23.911      0.310      1.5346    56.1(=νd7)
14*           2.380      0.200
15               ∞      0.200      1.5168    64.2
16               ∞      0.414
（像面）            ∞
【００６２】
非球面データ
第１面
ｋ=0.000,Ａ4=-8.241E-02,Ａ6=1.518E-01,Ａ8=-6.952E-01,
Ａ10=8.909E-01,Ａ12=-4.931E-01,Ａ14=-1.811E-01,Ａ16=2.666E-01
第２面
ｋ=0.000,Ａ4=-2.275E-01,Ａ6=3.836E-01,Ａ8=-3.017,
Ａ10=6.945,Ａ12=-4.983,Ａ14=-2.666,Ａ16=4.176
第３面
ｋ=0.000,Ａ4=-1.432E-01,Ａ6=-1.337E-01,Ａ8=-6.040E-01,
Ａ10=1.794,Ａ12=-6.104E-01,Ａ14=-7.571E-01,Ａ16=2.584E-01
第４面
ｋ=0.000,Ａ4=-1.073E-01,Ａ6=-5.463E-02,Ａ8=-4.255E-03,
Ａ10=5.463E-01,Ａ12=-6.893E-01,Ａ14=-1.210E-02,Ａ16=1.850E-01
第５面
ｋ=0.000,Ａ4=-2.576E-01,Ａ6=-4.667E-01,Ａ8=1.903,
Ａ10=-2.336,Ａ12=6.689E-01,Ａ14=7.776E-01,Ａ16=-4.608E-01
第６面
ｋ=0.000,Ａ4=-7.944E-02,Ａ6=-4.418E-01,Ａ8=1.276,
Ａ10=-1.711,Ａ12=8.974E-01,Ａ14=6.691E-02,Ａ16=-1.087E-01
第７面
ｋ=0.000,Ａ4=2.513E-01,Ａ6=-1.421E-01,Ａ8=1.263E-01,
Ａ10=-1.827E-02,Ａ12=-4.186E-01,Ａ14=5.029E-01,Ａ16=-1.843E-01
第８面
ｋ=0.000,Ａ4=1.919E-01,Ａ6=7.248E-02,Ａ8=1.153E-01,
Ａ10=-6.760E-02,Ａ12=-2.090E-02,Ａ14=-5.478E-03,Ａ16=9.951E-03
第９面
ｋ=0.000,Ａ4=-1.001E-01,Ａ6=9.987E-02,Ａ8=-9.297E-02,
Ａ10=1.434E-02,Ａ12=1.058E-05,Ａ14=-2.628E-03,Ａ16=2.872E-03
第１０面
ｋ=0.000,Ａ4=-1.569E-01,Ａ6=5.735E-02,Ａ8=-1.942E-02,
Ａ10=-9.047E-03,Ａ12=1.646E-03,Ａ14=4.727E-04,Ａ16=5.869E-04
第１１面
ｋ=0.000,Ａ4=-2.248E-01,Ａ6=1.366E-03,Ａ8=2.158E-02,
Ａ10=1.515E-04,Ａ12=6.444E-04,Ａ14=-3.185E-05,Ａ16=-2.051E-04
第１２面
ｋ=0.000,Ａ4=-1.554E-01,Ａ6=2.774E-02,Ａ8=2.233E-03,
Ａ10=-2.424E-03,Ａ12=-2.127E-04,Ａ14=1.357E-04,Ａ16=1.991E-05
第１３面
ｋ=0.000,Ａ4=-1.038E-01,Ａ6=9.883E-02,Ａ8=-4.721E-02,
Ａ10=1.096E-02,Ａ12=-3.591E-03,Ａ14=1.353E-03,Ａ16=-1.801E-04
第１４面
ｋ=0.000,Ａ4=-1.990E-01,Ａ6=1.305E-01,Ａ8=-6.810E-02,
Ａ10=2.478E-02,Ａ12=-5.877E-03,Ａ14=7.925E-04,Ａ16=-4.580E-05
【００６３】
f1=7.75mm
f2=2.32mm
f3=-2.40mm
f4=3.86mm
f5=-100.64mm
f6=-44.16mm
f7=-4.03mm
f12=1.98mm
f45=3.95mm
f67=-3.76mm
【００６４】
各条件式の値を以下に示す。
f1/f2=3.34
f12/f=0.59
f2/f3=-0.97
f12/f3=-0.83
f67/f=-1.11
f45/f67=-1.05
f7/f6=0.091
D34/f=0.070
このように、本数値実施例３に係る撮像レンズは上記各条件式を満足する。第１レンズＬ１の物体側の面から像面ＩＭまでの光軸上の距離（フィルタ１０は空気換算長）は４．３５ｍｍであり、撮像レンズの小型化が図られている。
【００６５】
図８は、数値実施例３の撮像レンズについて、半画角ωに対応する横収差を示したものであり、図９は、球面収差（ｍｍ）、非点収差（ｍｍ）、および歪曲収差（％）をそれぞれ示したものである。図８および図９に示されるように、本数値実施例３に係る撮像レンズによっても諸収差が良好に補正される。
【００６６】
数値実施例４
基本的なレンズデータを以下に示す。
f=3.37mm、Fno=2.2、ω=37.0°
単位    ｍｍ
面データ
面番号ｉ            ｒ         ｄ        ｎｄ    νｄ
（物面）            ∞         ∞
1*           1.740      0.353      1.5346    56.1(=νd1)
2*（絞り）   2.078      0.074
3*           2.105      0.642      1.5346    56.1(=νd2)
4*          -2.421      0.021
5*         -17.903      0.250      1.6355    24.0(=νd3)
6*           3.540      0.331(=D34)
7*          -1.594      0.450      1.5346    56.1(=νd4)
8*          -1.251      0.058
9*          11.093      0.445      1.6355    24.0(=νd5)
10*           6.053      0.070
11*           4.217      0.319      1.5346    56.1(=νd6)
12*           3.806      0.129
13*         -25.224      0.292      1.5346    56.1(=νd7)
14*           2.369      0.140
15               ∞      0.200      1.5168    64.2
16               ∞      0.501
（像面）            ∞
【００６７】
非球面データ
第１面
ｋ=0.000,Ａ4=-1.059E-01,Ａ6=1.519E-01,Ａ8=-6.957E-01,
Ａ10=9.014E-01,Ａ12=-4.692E-01,Ａ14=-1.711E-01,Ａ16=2.338E-01
第２面
ｋ=0.000,Ａ4=-2.420E-01,Ａ6=3.601E-01,Ａ8=-3.128,
Ａ10=7.058,Ａ12=-4.769,Ａ14=-2.705,Ａ16=3.941
第３面
ｋ=0.000,Ａ4=-1.054E-01,Ａ6=-2.159E-01,Ａ8=-6.197E-01,
Ａ10=1.737,Ａ12=-5.978E-01,Ａ14=-5.618E-01,Ａ16=4.096E-01
第４面
ｋ=0.000,Ａ4=-1.990E-01,Ａ6=1.660E-02,Ａ8=5.257E-02,
Ａ10=5.262E-01,Ａ12=-7.864E-01,Ａ14=7.137E-03,Ａ16=4.777E-01
第５面
ｋ=0.000,Ａ4=-2.303E-01,Ａ6=-5.051E-01,Ａ8=1.902,
Ａ10=-2.253,Ａ12=7.865E-01,Ａ14=7.259E-01,Ａ16=-4.857E-01
第６面
ｋ=0.000,Ａ4=-1.269E-02,Ａ6=-4.889E-01,Ａ8=1.274,
Ａ10=-1.695,Ａ12=8.861E-01,Ａ14=8.995E-02,Ａ16=-1.334E-01
第７面
ｋ=0.000,Ａ4=2.686E-01,Ａ6=-8.696E-02,Ａ8=1.475E-01,
Ａ10=-4.466E-02,Ａ12=-4.663E-01,Ａ14=4.854E-01,Ａ16=-1.752E-01
第８面
ｋ=0.000,Ａ4=1.760E-01,Ａ6=7.701E-02,Ａ8=1.205E-01,
Ａ10=-6.102E-02,Ａ12=-1.408E-02,Ａ14=-5.581E-03,Ａ16=3.934E-03
第９面
ｋ=0.000,Ａ4=-1.778E-01,Ａ6=1.010E-01,Ａ8=-9.084E-02,
Ａ10=4.372E-03,Ａ12=-1.141E-02,Ａ14=-7.648E-03,Ａ16=8.843E-03
第１０面
ｋ=0.000,Ａ4=-1.619E-01,Ａ6=4.960E-02,Ａ8=-2.249E-02,
Ａ10=-9.490E-03,Ａ12=2.128E-03,Ａ14=8.518E-04,Ａ16=6.754E-04
第１１面
ｋ=0.000,Ａ4=-2.120E-01,Ａ6=2.271E-03,Ａ8=2.202E-02,
Ａ10=2.240E-04,Ａ12=6.022E-04,Ａ14=-9.079E-05,Ａ16=-2.710E-04
第１２面
ｋ=0.000,Ａ4=-1.486E-01,Ａ6=2.966E-02,Ａ8=2.301E-03,
Ａ10=-2.471E-03,Ａ12=-2.360E-04,Ａ14=1.248E-04,Ａ16=1.563E-05
第１３面
ｋ=0.000,Ａ4=-1.016E-01,Ａ6=9.787E-02,Ａ8=-4.729E-02,
Ａ10=1.095E-02,Ａ12=-3.587E-03,Ａ14=1.356E-03,Ａ16=-1.785E-04
第１４面
ｋ=0.000,Ａ4=-2.040E-01,Ａ6=1.305E-01,Ａ8=-6.819E-02,
Ａ10=2.475E-02,Ａ12=-5.881E-03,Ａ14=7.921E-04,Ａ16=-4.569E-05
【００６８】
f1=14.67mm
f2=2.22mm
f3=-4.63mm
f4=7.46mm
f5=-21.71mm
f6=-100.33mm
f7=-4.04mm
f12=2.09mm
f45=11.40mm
f67=-3.97mm
【００６９】
各条件式の値を以下に示す。
f1/f2=6.62
f12/f=0.62
f2/f3=-0.48
f12/f3=-0.45
f67/f=-1.18
f45/f67=-2.87
f7/f6=0.040
D34/f=0.098
このように、本数値実施例４に係る撮像レンズは上記各条件式を満足する。第１レンズＬ１の物体側の面から像面ＩＭまでの光軸上の距離（フィルタ１０は空気換算長）は４．２１ｍｍであり、撮像レンズの小型化が図られている。
【００７０】
図１１は、数値実施例４の撮像レンズについて、半画角ωに対応する横収差を示したものであり、図１２は、球面収差（ｍｍ）、非点収差（ｍｍ）、および歪曲収差（％）をそれぞれ示したものである。図１１および図１２に示されるように、本数値実施例４に係る撮像レンズによっても諸収差が良好に補正される。
【００７１】
数値実施例５
基本的なレンズデータを以下に示す。
f=3.33mm、Fno=2.2、ω=37.0°
単位    ｍｍ
面データ
面番号ｉ            ｒ         ｄ        ｎｄ    νｄ
（物面）            ∞         ∞
1*           1.998      0.312      1.5346    56.1(=νd1)
2*（絞り）   2.029      0.079
3*           2.212      0.529      1.5346    56.1(=νd2)
4*          -3.987      0.031
5*          12.215      0.250      1.6355    24.0(=νd3)
6*           3.749      0.629(=D34)
7*          -2.154      0.407      1.5346    56.1(=νd4)
8*          -1.267      0.039
9*           5.866      0.333      1.6355    24.0(=νd5)
10*           5.255      0.060
11*           3.137      0.298      1.5346    56.1(=νd6)
12*           2.173      0.193
13*       11397.590      0.297      1.5346    56.1(=νd7)
14*           2.258      0.200
15               ∞      0.200      1.5168    64.2
16               ∞      0.447
（像面）            ∞
【００７２】
非球面データ
第１面
ｋ=0.000,Ａ4=-1.273E-01,Ａ6=1.508E-01,Ａ8=-6.904E-01,
Ａ10=9.804E-01,Ａ12=-4.571E-01,Ａ14=-1.739E-01,Ａ16=1.781E-01
第２面
ｋ=0.000,Ａ4=-2.502E-01,Ａ6=3.963E-01,Ａ8=-3.044,
Ａ10=7.055,Ａ12=-4.876,Ａ14=-2.735,Ａ16=4.031
第３面
ｋ=0.000,Ａ4=-8.921E-02,Ａ6=-1.497E-01,Ａ8=-6.485E-01,
Ａ10=1.685,Ａ12=-5.815E-01,Ａ14=-4.625E-01,Ａ16=1.919E-01
第４面
ｋ=0.000,Ａ4=-2.203E-01,Ａ6=-1.224E-02,Ａ8=3.919E-02,
Ａ10=5.267E-01,Ａ12=-7.603E-01,Ａ14=4.830E-02,Ａ16=3.557E-01
第５面
ｋ=0.000,Ａ4=-2.164E-01,Ａ6=-5.134E-01,Ａ8=1.864,
Ａ10=-2.257,Ａ12=7.562E-01,Ａ14=7.189E-01,Ａ16=-4.850E-01
第６面
ｋ=0.000,Ａ4=-2.237E-02,Ａ6=-4.625E-01,Ａ8=1.272,
Ａ10=-1.689,Ａ12=9.042E-01,Ａ14=8.765E-02,Ａ16=-1.767E-01
第７面
ｋ=0.000,Ａ4=1.892E-01,Ａ6=-8.488E-02,Ａ8=1.915E-01,
Ａ10=-6.353E-03,Ａ12=-4.467E-01,Ａ14=4.821E-01,Ａ16=-1.720E-01
第８面
ｋ=0.000,Ａ4=1.858E-01,Ａ6=5.304E-02,Ａ8=1.167E-01,
Ａ10=-6.230E-02,Ａ12=-1.436E-02,Ａ14=-1.115E-03,Ａ16=5.918E-03
第９面
ｋ=0.000,Ａ4=-1.667E-01,Ａ6=1.096E-01,Ａ8=-8.725E-02,
Ａ10=1.457E-02,Ａ12=-4.883E-03,Ａ14=-7.030E-03,Ａ16=4.503E-03
第１０面
ｋ=0.000,Ａ4=-1.637E-01,Ａ6=6.542E-02,Ａ8=-2.581E-02,
Ａ10=-1.078E-02,Ａ12=2.408E-03,Ａ14=1.127E-03,Ａ16=4.300E-04
第１１面
ｋ=0.000,Ａ4=-2.019E-01,Ａ6=-3.117E-03,Ａ8=2.040E-02,
Ａ10=-7.931E-05,Ａ12=4.201E-04,Ａ14=-7.934E-05,Ａ16=-1.698E-04
第１２面
ｋ=0.000,Ａ4=-1.885E-01,Ａ6=3.279E-02,Ａ8=1.241E-03,
Ａ10=-2.764E-03,Ａ12=-2.670E-04,Ａ14=1.320E-04,Ａ16=2.895E-05
第１３面
ｋ=0.000,Ａ4=-1.080E-01,Ａ6=9.773E-02,Ａ8=-4.668E-02,
Ａ10=1.088E-02,Ａ12=-3.651E-03,Ａ14=1.346E-03,Ａ16=-1.710E-04
第１４面
ｋ=0.000,Ａ4=-2.023E-01,Ａ6=1.308E-01,Ａ8=-6.847E-02,
Ａ10=2.473E-02,Ａ12=-5.880E-03,Ａ14=7.920E-04,Ａ16=-4.567E-05
【００７３】
f1=54.33mm
f2=2.74mm
f3=-8.61mm
f4=4.96mm
f5=-100.82mm
f6=-14.82mm
f7=-4.23mm
f12=2.76mm
f45=5.10mm
f67=-3.31mm
【００７４】
各条件式の値を以下に示す。
f1/f2=19.81
f12/f=0.83
f2/f3=-0.32
f12/f3=-0.32
f67/f=-0.99
f45/f67=-1.54
f7/f6=0.29
D34/f=0.19
このように、本数値実施例５に係る撮像レンズは上記各条件式を満足する。第１レンズＬ１の物体側の面から像面ＩＭまでの光軸上の距離（フィルタ１０は空気換算長）は４．２４ｍｍであり、撮像レンズの小型化が図られている。
【００７５】
図１４は、数値実施例５の撮像レンズについて、半画角ωに対応する横収差を示したものであり、図１５は、球面収差（ｍｍ）、非点収差（ｍｍ）、および歪曲収差（％）をそれぞれ示したものである。図１４および図１５に示されるように、本数値実施例５に係る撮像レンズによっても諸収差が良好に補正される。
【００７６】
数値実施例６
基本的なレンズデータを以下に示す。
f=3.37mm、Fno=2.2、ω=37.0°
単位    ｍｍ
面データ
面番号ｉ            ｒ         ｄ        ｎｄ    νｄ
（物面）            ∞         ∞
1*           1.754      0.343      1.5346    56.1(=νd1)
2*（絞り）   1.779      0.096
3*           2.057      0.500      1.5346    56.1(=νd2)
4*          -5.203      0.030
5*           8.410      0.250      1.6355    24.0(=νd3)
6*           3.200      0.403(=D34)
7*          -1.580      0.346      1.5346    56.1(=νd4)
8*          -1.643      0.047
9*         -10.498      0.470      1.5346    56.1(=νd5)
10*          -1.513      0.060
11*           5.245      0.342      1.6355    24.0(=νd6)
12*           4.341      0.168
13*          -3.342      0.365      1.5346    56.1(=νd7)
14*           2.330      0.250
15               ∞      0.200      1.5168    64.2
16               ∞      0.597
（像面）            ∞
【００７７】
非球面データ
第１面
ｋ=0.000,Ａ4=-1.251E-01,Ａ6=1.669E-01,Ａ8=-6.668E-01,
Ａ10=9.053E-01,Ａ12=-5.258E-01,Ａ14=-1.012E-01,Ａ16=1.986E-01
第２面
ｋ=0.000,Ａ4=-3.204E-01,Ａ6=4.458E-01,Ａ8=-3.063,
Ａ10=6.788,Ａ12=-5.061,Ａ14=-1.504,Ａ16=2.998
第３面
ｋ=0.000,Ａ4=-1.540E-01,Ａ6=-1.263E-01,Ａ8=-7.686E-01,
Ａ10=1.771,Ａ12=-6.823E-01,Ａ14=-1.560E-01,Ａ16=-3.715E-02
第４面
ｋ=0.000,Ａ4=-2.584E-01,Ａ6=-2.428E-02,Ａ8=1.690E-01,
Ａ10=3.337E-01,Ａ12=-7.684E-01,Ａ14=3.283E-01,Ａ16=1.218E-01
第５面
ｋ=0.000,Ａ4=-2.665E-01,Ａ6=-4.280E-01,Ａ8=1.683,
Ａ10=-2.114,Ａ12=5.449E-01,Ａ14=1.011,Ａ16=-5.988E-01
第６面
ｋ=0.000,Ａ4=-2.117E-02,Ａ6=-4.541E-01,Ａ8=1.283,
Ａ10=-1.782,Ａ12=9.159E-01,Ａ14=1.749E-01,Ａ16=-2.109E-01
第７面
ｋ=0.000,Ａ4=1.878E-01,Ａ6=-2.029E-01,Ａ8=3.026E-01,
Ａ10=4.645E-02,Ａ12=-5.625E-01,Ａ14=3.660E-01,Ａ16=-2.208E-02
第８面
ｋ=0.000,Ａ4=1.055E-01,Ａ6=-1.020E-01,Ａ8=9.764E-02,
Ａ10=-3.036E-02,Ａ12=1.045E-05,Ａ14=6.110E-04,Ａ16=7.310E-03
第９面
ｋ=0.000,Ａ4=-1.538E-02,Ａ6=9.087E-02,Ａ8=-1.159E-01,
Ａ10=4.385E-02,Ａ12=4.559E-03,Ａ14=-6.675E-03,Ａ16=2.121E-04
第１０面
ｋ=0.000,Ａ4=1.028E-01,Ａ6=5.866E-02,Ａ8=1.504E-02,
Ａ10=-1.355E-02,Ａ12=-1.586E-03,Ａ14=3.238E-04,Ａ16=1.121E-04
第１１面
ｋ=0.000,Ａ4=-1.681E-01,Ａ6=1.559E-02,Ａ8=-2.368E-03,
Ａ10=1.331E-02,Ａ12=-5.693E-04,Ａ14=-1.351E-03,Ａ16=-1.707E-04
第１２面
ｋ=0.000,Ａ4=-2.149E-01,Ａ6=5.930E-02,Ａ8=1.207E-03,
Ａ10=-3.015E-03,Ａ12=2.723E-04,Ａ14=1.587E-04,Ａ16=-3.731E-05
第１３面
ｋ=0.000,Ａ4=-6.768E-02,Ａ6=9.771E-02,Ａ8=-3.986E-02,
Ａ10=1.101E-02,Ａ12=-3.971E-03,Ａ14=1.268E-03,Ａ16=-1.682E-04
第１４面
ｋ=0.000,Ａ4=-1.604E-01,Ａ6=1.128E-01,Ａ8=-6.563E-02,
Ａ10=2.480E-02,Ａ12=-5.899E-03,Ａ14=7.955E-04,Ａ16=-4.663E-05
【００７８】
f1=40.46mm
f2=2.83mm
f3=-8.28mm
f4=84.01mm
f5=3.25mm
f6=-46.45mm
f7=-2.51mm
f12=2.83mm
f45=2.93mm
f67=-2.43mm
【００７９】
各条件式の値を以下に示す。
f1/f2=14.32
f12/f=0.84
f2/f3=-0.34
f12/f3=-0.34
f67/f=-0.72
f45/f67=-1.21
f7/f6=0.054
D34/f=0.12
このように、本数値実施例６に係る撮像レンズは上記各条件式を満足する。第１レンズＬ１の物体側の面から像面ＩＭまでの光軸上の距離（フィルタ１０は空気換算長）は４．４０ｍｍであり、撮像レンズの小型化が図られている。
【００８０】
図１７は、数値実施例６の撮像レンズについて、半画角ωに対応する横収差を示したものであり、図１８は、球面収差（ｍｍ）、非点収差（ｍｍ）、および歪曲収差（％）をそれぞれ示したものである。図１７および図１８に示されるように、本数値実施例６に係る撮像レンズによっても諸収差が良好に補正される。
【００８１】
以上説明した本実施の形態に係る撮像レンズによれば、７０°以上の広い画角（２ω）を実現することができる。ちなみに上述の数値実施例１〜６に係る撮像レンズは７４．０°の広い画角を有する。本実施の形態に係る撮像レンズによれば、従来の撮像レンズよりも広い範囲を撮影することが可能となる。
【００８２】
また近年では、撮像レンズを通じて得られた画像の任意の領域を画像処理によって拡大するデジタルズーム技術の進歩により、高画素の撮像素子と高解像度の撮像レンズとが組み合わせられることが多くなってきた。こうした高画素の撮像素子では各画素の受光面積が減少するため、撮影した画像が暗くなる傾向にある。これを補正するための方法として、電気回路を用いて撮像素子の受光感度を向上させる方法がある。しかしながら、受光感度が上がると画像の形成に直接寄与しないノイズ成分も増幅されてしまうため、新たにノイズ低減のための回路が必要になる。数値実施例１〜６の撮像レンズのＦｎｏは２．２〜２．３と小さな値になっている。本実施の形態に係る撮像レンズによれば、上記電気回路等を設けなくても十分に明るい画像を得ることができる。
【００８３】
したがって、上記実施の形態に係る撮像レンズを携帯電話機、携帯情報端末、およびスマートフォン等の携帯機器に内蔵されるカメラや、デジタルスティルカメラ、セキュリティカメラ、車載カメラ、ネットワークカメラ等の撮像光学系に適用した場合、当該カメラ等の高機能化と小型化の両立を図ることができる。
【産業上の利用可能性】
【００８４】
本発明は、携帯電話機、スマートフォン、携帯情報端末等の携帯機器に内蔵されるカメラ、デジタルスティルカメラ、セキュリティカメラ、車載カメラ、ネットワークカメラ等の比較的小型のカメラに組み込まれる撮像レンズに適用することができる。
【符号の説明】
【００８５】
Ｇ１    第１レンズ群
Ｇ２    第２レンズ群
Ｇ３    第３レンズ群
ＳＴ    開口絞り
Ｌ１    第１レンズ
Ｌ２    第２レンズ
Ｌ３    第３レンズ
Ｌ４    第４レンズ
Ｌ５    第５レンズ
Ｌ６    第６レンズ
Ｌ７    第７レンズ
１０    フィルタ
【図１】
2015203792.tif 000004
【図２】
2015203792.tif 000005
【図３】
2015203792.tif 000006
【図４】
2015203792.tif 000007
【図５】
2015203792.tif 000008
【図６】
2015203792.tif 000009
【図７】
2015203792.tif 000010
【図８】
2015203792.tif 000011
【図９】
2015203792.tif 000012
【図１０】
2015203792.tif 000013
【図１１】
2015203792.tif 000014
【図１２】
2015203792.tif 000015
【図１３】
2015203792.tif 000016
【図１４】
2015203792.tif 000017
【図１５】
2015203792.tif 000018
【図１６】
2015203792.tif 000019
【図１７】
2015203792.tif 000020
【図１８】
2015203792.tif 000021